(57)【要約】  【課題】興趣性の向上を図ることができるパチンコ遊戯機を提供する。  【解決手段】パチンコ遊戯機１は、液晶表示部６と、第１スタート用玉入口部７と、第２スタート用玉入口部８と、当り用玉入口部11とを備える。パチンコ球Ｐが第１スタート用玉入口部７および第２スタート用玉入口部８の順で２つの玉入口部７，８に入った場合に、液晶表示部６が作動して液晶表示部６の表示が変化する。  【選択図】図１
0003104915.tif 000002
【実用新案登録請求の範囲】
【請求項１】
可変表示部と、複数の玉入口部とを備えたパチンコ遊戯機であって、
パチンコ球が前記複数の玉入口部に予め決められた順で入ると、前記可変表示部の表示が変化する
ことを特徴とするパチンコ遊戯機。
【請求項２】
可変表示部と、
パチンコ球を常時受入れ可能な複数のスタート用玉入口部と、
パチンコ球を受入れ可能な開状態およびパチンコ球を受入れ不能な閉状態になる当り用玉入口部と、
パチンコ球が前記複数のスタート用玉入口部に予め決められた順で入った場合には前記可変表示部の表示を変化させ、停止した表示の組合せが予め決められた当りの組合せとなったときに前記当り用玉入口部を開状態にする制御手段と
を備えることを特徴とするパチンコ遊戯機。
【請求項３】
可変表示部と、
パチンコ球を常時受入れ可能な複数のスタート用玉入口部と、
パチンコ球を受入れ可能な開状態およびパチンコ球を受入れ不能な閉状態になる当り用玉入口部と、
パチンコ球が前記複数のスタート用玉入口部に予め決められた順で入った場合には前記可変表示部の表示を変化させ、停止した表示の組合せが予め決められた当りの組合せとなったときに大当りとして前記当り用玉入口部を開状態にし、パチンコ球が前記複数のスタート用玉入口部に予め決められた順とは異なる順で入った場合には前記可変表示部の表示を変化させ、停止した表示の組合せが予め決められた当りの組合せとなったときに小当りとして前記当り用玉入口部を開状態にする制御手段と
を備えることを特徴とするパチンコ遊戯機。
【請求項４】
可変表示部と、
パチンコ球を常時受入れ可能なスタート用玉入口部と、
パチンコ球を受入れ可能な開状態およびパチンコ球を受入れ不能な閉状態になる複数の玉入口部と、
パチンコ球を受入れ可能な開状態およびパチンコ球を受入れ不能な閉状態になる当り用玉入口部と、
パチンコ球が前記スタート用玉入口部に入ると前記複数の玉入口部を開状態にし、これら開状態になった複数の玉入口部にパチンコ球が予め決められた順で入った場合には前記可変表示部の表示を変化させ、停止した表示の組合せが予め決められた当りの組合せとなったときに前記当り用玉入口部を開状態にする制御手段と
を備えることを特徴とするパチンコ遊戯機。
【請求項５】
可変表示部と、
パチンコ球を常時受入れ可能なスタート用玉入口部と、
パチンコ球を受入れ可能な開状態およびパチンコ球を受入れ不能な閉状態になる複数の玉入口部と、
パチンコ球を受入れ可能な開状態およびパチンコ球を受入れ不能な閉状態になる当り用玉入口部と、
パチンコ球が前記スタート用玉入口部に入ると前記複数の玉入口部を開状態にし、これら開状態になった複数の玉入口部にパチンコ球が予め決められた順で入った場合には前記可変表示部の表示を変化させ、停止した表示の組合せが予め決められた当りの組合せとなったときに大当りとして前記当り用玉入口部を開状態にし、パチンコ球が予め決められた順とは異なる順で入った場合には前記可変表示部の表示を変化させ、停止した表示の組合せが予め決められた当りの組合せとなったときに小当りとして前記当り用玉入口部を開状態にする制御手段と
を備えることを特徴とするパチンコ遊戯機。
【考案の詳細な説明】
【技術分野】
【０００１】
本考案は、興趣性の向上を図ることができるパチンコ遊戯機に関するものである。
【背景技術】
【０００２】
従来、例えば可変表示部である液晶表示部と、パチンコ球を常時受入れ可能な１つのスタート用玉入口部と、パチンコ球を受入れ可能な開状態およびパチンコ球を受入れ不能な閉状態になる当り用玉入口部と、パチンコ球がスタート用玉入口部に入った場合には液晶表示部の表示（例えば数字や図形等）を変化させ、停止した表示の組合せが予め決められた当りの組合せ（例えば「７７７」等）となったときに当り用玉入口部を開状態にする制御手段とを備えたパチンコ遊戯機が知られている（例えば、特許文献１参照）。
【特許文献１】特開２００３−２９０４７１号公報
【考案の開示】
【考案が解決しようとする課題】
【０００３】
しかしながら、上記従来のパチンコ遊戯機では、パチンコ球をスタート用玉入口部に入れさえすれば、後は機械任せとなるため、遊戯者の技術介入をほとんど必要とせず、興趣性に欠けるおそれがある。
【０００４】
本考案は、このような点に鑑みなされたもので、興趣性の向上を図ることができるパチンコ遊戯機を提供することを目的とする。
【課題を解決するための手段】
【０００５】
請求項１記載のパチンコ遊戯機は、可変表示部と、複数の玉入口部とを備えたパチンコ遊戯機であって、パチンコ球が前記複数の玉入口部に予め決められた順で入ると、前記可変表示部の表示が変化するものである。
【０００６】
そして、パチンコ球を予め決められた順で入れるのに遊戯者の技術介入を必要とするため、興趣性が向上する。
【０００７】
請求項２記載のパチンコ遊戯機は、可変表示部と、パチンコ球を常時受入れ可能な複数のスタート用玉入口部と、パチンコ球を受入れ可能な開状態およびパチンコ球を受入れ不能な閉状態になる当り用玉入口部と、パチンコ球が前記複数のスタート用玉入口部に予め決められた順で入った場合には前記可変表示部の表示を変化させ、停止した表示の組合せが予め決められた当りの組合せとなったときに前記当り用玉入口部を開状態にする制御手段とを備えるものである。
【０００８】
そして、パチンコ球を予め決められた順で入れるのに遊戯者の技術介入を必要とするため、興趣性が向上する。
【０００９】
請求項３記載のパチンコ遊戯機は、可変表示部と、パチンコ球を常時受入れ可能な複数のスタート用玉入口部と、パチンコ球を受入れ可能な開状態およびパチンコ球を受入れ不能な閉状態になる当り用玉入口部と、パチンコ球が前記複数のスタート用玉入口部に予め決められた順で入った場合には前記可変表示部の表示を変化させ、停止した表示の組合せが予め決められた当りの組合せとなったときに大当りとして前記当り用玉入口部を開状態にし、パチンコ球が前記複数のスタート用玉入口部に予め決められた順とは異なる順で入った場合には前記可変表示部の表示を変化させ、停止した表示の組合せが予め決められた当りの組合せとなったときに小当りとして前記当り用玉入口部を開状態にする制御手段とを備えるものである。
【００１０】
そして、パチンコ球を予め決められた順で入れるのに遊戯者の技術介入を必要とするため、興趣性が向上する。
【００１１】
請求項４記載のパチンコ遊戯機は、可変表示部と、パチンコ球を常時受入れ可能なスタート用玉入口部と、パチンコ球を受入れ可能な開状態およびパチンコ球を受入れ不能な閉状態になる複数の玉入口部と、パチンコ球を受入れ可能な開状態およびパチンコ球を受入れ不能な閉状態になる当り用玉入口部と、パチンコ球が前記スタート用玉入口部に入ると前記複数の玉入口部を開状態にし、これら開状態になった複数の玉入口部にパチンコ球が予め決められた順で入った場合には前記可変表示部の表示を変化させ、停止した表示の組合せが予め決められた当りの組合せとなったときに前記当り用玉入口部を開状態にする制御手段とを備えるものである。
【００１２】
そして、パチンコ球を予め決められた順で入れるのに遊戯者の技術介入を必要とするため、興趣性が向上する。
【００１３】
請求項５記載のパチンコ遊戯機は、可変表示部と、パチンコ球を常時受入れ可能なスタート用玉入口部と、パチンコ球を受入れ可能な開状態およびパチンコ球を受入れ不能な閉状態になる複数の玉入口部と、パチンコ球を受入れ可能な開状態およびパチンコ球を受入れ不能な閉状態になる当り用玉入口部と、パチンコ球が前記スタート用玉入口部に入ると前記複数の玉入口部を開状態にし、これら開状態になった複数の玉入口部にパチンコ球が予め決められた順で入った場合には前記可変表示部の表示を変化させ、停止した表示の組合せが予め決められた当りの組合せとなったときに大当りとして前記当り用玉入口部を開状態にし、パチンコ球が予め決められた順とは異なる順で入った場合には前記可変表示部の表示を変化させ、停止した表示の組合せが予め決められた当りの組合せとなったときに小当りとして前記当り用玉入口部を開状態にする制御手段とを備えるものである。
【００１４】
そして、パチンコ球を予め決められた順で入れるのに遊戯者の技術介入を必要とするため、興趣性が向上する。
【考案の効果】
【００１５】
本考案によれば、例えばパチンコ球を予め決められた順で入れるのに遊戯者の技術介入を必要とするため、興趣性の向上を図ることができる。
【考案を実施するための最良の形態】
【００１６】
本考案のパチンコ遊戯機の第１の実施の形態を図面を参照して説明する。
【００１７】
図１において、１はパチンコ遊戯機で、このパチンコ遊戯機１は、操作ハンドル等の操作手段２の回動操作により、パチンコ球Ｐを打球体３にてその操作手段２の回動操作量に応じた打球力をもって打球して遊戯面４側に打ち出すものである。
【００１８】
そして、パチンコ遊戯機１は、例えば数字や図形等の複数の表示（絵柄）を可変表示する当り表示手段としての可変表示部である液晶表示部６を遊戯面４の略中央位置に備えている。
【００１９】
また、パチンコ遊戯機１は、打球体３側から遊戯面４側に打ち出されたパチンコ球Ｐを常時受入れ可能な上方に向って開口状の複数の玉入口部であるスタート用玉入口部、すなわち例えば左右方向に並んだ第１スタート用玉入口部７および第２スタート用玉入口部８を備えている。なお、第１スタート用玉入口部７の下方近傍位置には第１ランプ９が設けられ、第２スタート用玉入口部８の下方近傍位置には第２ランプ10が設けられている。
【００２０】
さらに、パチンコ遊戯機１は、打球体３側から遊戯面４側に打ち出されたパチンコ球Ｐを受入れ可能な開状態およびパチンコ球Ｐを受入れ不能な閉状態になる１つの当り用玉入口部11を備えている。当り用玉入口部11は、左右方向に長手方向を有する略矩形状の回動板12が前方に向って回動して傾斜姿勢に設定されることにより開状態となり、回動板12が後方に向って回動して遊戯面４に沿った垂直姿勢に設定されることにより閉状態となる。
【００２１】
また、パチンコ遊戯機１は、液晶表示部６の信号入出力部、スタート用玉入口部７，８等にパチンコ球Ｐが入ったことを検知する検知部、当り用玉入口部11の回動板12を回動させる駆動部等に電気的に接続された制御手段13を備えている。
【００２２】
そして、制御手段13は、パチンコ球Ｐが２つのスタート用玉入口部７，８に予め決められた順（例えば第１スタート用玉入口部７→第２スタート用玉入口部８の順）で入った場合には液晶表示部６の表示を回転変化させ、停止した３つの表示の組合せが予め決められた当りの組合せ（例えば「７７７」）となったときに大当りとして当り用玉入口部11を所定条件下で例えば１５回繰返し開状態にする。
【００２３】
また、制御手段13は、パチンコ球Ｐが２つのスタート用玉入口部７，８に予め決められた順とは異なる順（例えば第２スタート用玉入口部８→第１スタート用玉入口部７）で入った場合には液晶表示部６の表示を回転変化させ、停止した３つの表示の組合せが予め決められた当りの組合せ（例えば「７７７」）となったときに小当りとして当り用玉入口部11を所定条件下で例えば３回繰返し開状態にする。
【００２４】
なお、パチンコ遊戯機１では、上皿15上のパチンコ球Ｐが打球体３による打球位置に供給され、上皿15が満杯のときには下皿16が使用される。また、操作手段２の操作に基づいて打球体３側から遊戯面４側に打ち出されたパチンコ球Ｐがスタート用玉入口部７，８等に入らなかった場合には、そのパチンコ球Ｐは遊戯面４の下端位置で開口した玉排出口17から玉貯留部に向って排出される。
【００２５】
次に、上記第１の実施の形態の動作等を説明する。
【００２６】
まず、パチンコ遊戯機１が制御手段13の制御に基づき大当り（大役）になる場合について説明する。
【００２７】
パチンコ球Ｐが第１スタート用玉入口部７に入ると第１ランプ９が点灯し、続いて、パチンコ球Ｐが第２スタート用玉入口部８に入ると、液晶表示部６が大当りスタートとして作動し、液晶表示部６の表示が回転変化する。
【００２８】
そして、液晶表示部６の表示面上で停止した３つの表示の組合せが、予め決められた当りの組合せ（例えば「７７７」）となった際には、パチンコ遊戯機１が大当り状態となり、当り用玉入口部11が所定条件下（例えば所定時間内に所定数のパチンコ球Ｐが当り用玉入口部11に入ること）で例えば１５回繰返し開状態になる。
【００２９】
次いで、パチンコ遊戯機１が制御手段13の制御に基づき小当り（小役）になる場合について説明する。
【００３０】
パチンコ球Ｐが第２スタート用玉入口部８に入ると第２ランプ10が点灯し、続いて、パチンコ球Ｐが第１スタート用玉入口部７に入ると、液晶表示部６が小当りスタートとして作動し、液晶表示部６の表示が回転変化する。
【００３１】
そして、液晶表示部６の表示面上で停止した３つの表示の組合せが、予め決められた当りの組合せ（例えば「７７７」）となった際には、パチンコ遊戯機１が小当り状態となり、当り用玉入口部11が所定条件下で例えば３回繰返し開状態になる。
【００３２】
なお、スタート用玉入口部７，８および当り用玉入口部11にパチンコ球Ｐが入ったことに基づいて、上皿15または下皿16に対して所定数のパチンコ球Ｐが払い出される。また、同じスタート用玉入口部７，８に連続して入った場合には、点灯していたランプ９，10が消灯し、やり直しとなる。
【００３３】
このように上記パチンコ遊戯機１によれば、遊戯者は、操作手段２の回動操作量を調整することによりパチンコ球Ｐを複数の玉入口部であるスタート用玉入口部７，８に予め決められた順で入れなければならず、遊戯者の技術介入を必要とするため、興趣性の向上を図ることができる。
【００３４】
次に、本考案のパチンコ遊戯機の第２の実施の形態を図面を参照して説明する。
【００３５】
図２において、21はパチンコ遊戯機で、このパチンコ遊戯機21は、操作ハンドル等の操作手段22の回動操作により、パチンコ球Ｐを打球体23にてその操作手段22の回動操作量に応じた打球力をもって打球して遊戯面24側に打ち出すものである。
【００３６】
そして、パチンコ遊戯機21は、例えば数字や図形等の複数の表示（絵柄）を可変表示する当り表示手段としての可変表示部である液晶表示部26を遊戯面24の略中央位置に備えている。
【００３７】
また、パチンコ遊戯機21は、打球体23側から遊戯面24側に打ち出されたパチンコ球Ｐを常時受入れ可能な上方に向って開口状の１つのスタート用玉入口部27を備えている。
【００３８】
さらに、パチンコ遊戯機21は、打球体23側から遊戯面24側に打ち出されたパチンコ球Ｐを受入れ可能な開状態およびパチンコ球Ｐを受入れ不能な閉状態になる複数の玉入口部、すなわち例えば左右方向に並んだ第１玉入口部31および第２玉入口部32を備えている。各玉入口部31，32は、略正方形状の回動板33，34が前方に向って回動して傾斜姿勢に設定されることにより開状態となり、回動板33，34が後方に向って回動して遊戯面24に沿った垂直姿勢に設定されることにより閉状態となる。
【００３９】
また、パチンコ遊戯機21は、打球体23側から遊戯面24側に打ち出されたパチンコ球Ｐを受入れ可能な開状態およびパチンコ球Ｐを受入れ不能な閉状態になる１つの当り用玉入口部41を備えている。当り用玉入口部41は、左右方向に長手方向を有する略矩形状の回動板42が前方に向って回動して傾斜姿勢に設定されることにより開状態となり、回動板42が後方に向って回動して遊戯面４に沿った垂直姿勢に設定されることにより閉状態となる。
【００４０】
さらに、パチンコ遊戯機21は、液晶表示部26の信号入出力部、スタート用玉入口部27等にパチンコ球Ｐが入ったことを検知する検知部、回動板33，34，42を回動させる駆動部等に電気的に接続された制御手段43を備えている。
【００４１】
そして、制御手段43は、パチンコ球Ｐがスタート用玉入口部27に入ると２つの玉入口部31，32を開状態にし、これら開状態になった２つの玉入口部31，32にパチンコ球Ｐが所定時間内に予め決められた順（例えば第１玉入口部31→第２玉入口部32）で入った場合には液晶表示部26の表示を回転変化させ、停止した３つの表示の組合せが予め決められた当りの組合せ（例えば「７７７」）となったときに大当りとして当り用玉入口部41を所定条件下で例えば１５回繰返し開状態にする。
【００４２】
また、制御手段43は、これら開状態になった２つの玉入口部31，32にパチンコ球Ｐが所定時間内に予め決められた順とは異なる順（例えば第２玉入口部32→第１玉入口部31）で入った場合には液晶表示部26の表示を回転変化させ、停止した表示の組合せが予め決められた当りの組合せ（例えば「７７７」）となったときに小当りとして当り用玉入口部41を所定条件下で例えば３回繰返し開状態にする。
【００４３】
なお、パチンコ遊戯機21では、上皿45上のパチンコ球Ｐが打球体23による打球位置に供給され、上皿45が満杯のときには下皿46が使用される。また、操作手段22の操作に基づいて打球体23側から遊戯面24側に打ち出されたパチンコ球Ｐがスタート用玉入口部27等に入らなかった場合には、そのパチンコ球Ｐは遊戯面24の下端位置で開口した玉排出口47から玉貯留部に向って排出される。
【００４４】
次に、上記第２の実施の形態の動作等を説明する。
【００４５】
まず、パチンコ遊戯機21が制御手段43の制御に基づき大当り（大役）になる場合について説明する。
【００４６】
パチンコ球Ｐがスタート用玉入口部27に入ると、第１玉入口部31および第２玉入口部32が一斉に開状態になる。
【００４７】
そして、予め設定された所定時間（例えば１分）内に、パチンコ球Ｐが第１玉入口部31に入り、続いてパチンコ球Ｐが第２玉入口部32に入ると、液晶表示部26が大当りスタートとして作動し、液晶表示部26の表示が回転変化する。
【００４８】
そして、液晶表示部26の表示面上で停止した３つの表示の組合せが、予め決められた当りの組合せ（例えば「７７７」）となった際には、パチンコ遊戯機21が大当り状態となり、当り用玉入口部41が所定条件下（例えば所定時間内に所定数のパチンコ球Ｐが当り用玉入口部41に入ること）で例えば１５回繰返し開状態になる。
【００４９】
次いで、パチンコ遊戯機21が制御手段43の制御に基づき小当り（小役）になる場合について説明する。
【００５０】
パチンコ球Ｐがスタート用玉入口部27に入ると、第１玉入口部31および第２玉入口部32が一斉に開状態になる。
【００５１】
そして、予め設定された所定時間（例えば１分）内に、パチンコ球Ｐが第２玉入口部32に入り、続いてパチンコ球Ｐが第１玉入口部31に入ると、液晶表示部26が小当りスタートとして作動し、液晶表示部26の表示が回転変化する。
【００５２】
そして、液晶表示部26の表示面上で停止した３つの表示の組合せが、予め決められた当りの組合せ（例えば「７７７」）となった際には、パチンコ遊戯機21が小当り状態となり、当り用玉入口部41が所定条件下（例えば所定時間内に所定数のパチンコ球Ｐが当り用玉入口部41に入ること）で例えば３回繰返し開状態になる。
【００５３】
なお、スタート用玉入口部27、玉入口部31，32および当り用玉入口部41にパチンコ球Ｐが入ったことに基づいて、上皿45または下皿46に対して所定数のパチンコ球Ｐが払い出される。また、第１玉入口部31および第２玉入口部32が一斉に開状態になった後、予め設定された所定時間内にパチンコ球Ｐが２つの玉入口部31，32に入らなかった場合には、第１玉入口部31および第２玉入口部32はもとの閉状態に復帰する。
【００５４】
このように上記パチンコ遊戯機21によれば、遊戯者は、操作手段22の回動操作量を調整することによりパチンコ球Ｐを複数の玉入口部31，32に予め決められた順で入れなければならず、遊戯者の技術介入を必要とするため、興趣性の向上を図ることができる。
【００５５】
なお、パチンコ遊戯機１，21の可変表示部は、液晶表示部６，26には限定されず、例えば回転ドラム等にて構成したものでもよい。
【００５６】
また、パチンコ遊戯機１，21の玉入口部７，８，31，32の数は、複数であればよく、３つ或いは４つ以上にしてもよい。
【００５７】
さらに、パチンコ遊戯機１，21は、大当りの際に当り用玉入口部11，41を所定時間だけ開状態にし、小当りの際に当り用玉入口部11，41を大当りの際より短い所定時間だけ開状態にするもの等でもよい。
【図面の簡単な説明】
【００５８】
【図１】本考案のパチンコ遊戯機の第１の実施の形態を示す正面図である。
【図２】本考案のパチンコ遊戯機の第２の実施の形態を示す正面図である。
【符号の説明】
【００５９】
１，21    パチンコ遊戯機
６，26    可変表示部である液晶表示部
７    玉入口部である第１スタート用玉入口部
８    玉入口部である第２スタート用玉入口部
11，41    当り用玉入口部
13，43    制御手段
27    スタート用玉入口部
31    玉入口部である第１玉入口部
32    玉入口部である第２玉入口部
Ｐ    パチンコ球
【図１】
0003104915.tif 000003
【図２】
0003104915.tif 000004